(57)【要約】【課題】フォーカス調整をアシストするフォーカスアシスト装置を提供する。【解決手段】フォーカスアシスト装置２は、カメラの撮影映像をビューファインダ３の解像度に縮小したダウンコンバート映像を生成するダウンコンバート手段２１と、ポインティングデバイスの操作信号として入力される位置信号から切出座標を計算する切出座標計算手段２４と、切出座標に基づいて、撮影映像から撮影映像の１画素をビューファインダ３の１画素以上で表示可能な領域の映像を切出映像として切り出す映像切出手段２２と、操作信号として入力される切替信号に基づいて、ダウンコンバート映像と切出映像とのいずれを表示対象とするかを判定する映像切替判定手段２５と、判定されたダウンコンバート映像または切出映像を切り替えてビューファインダ３に出力する映像切替出力手段２６と、を備える。【選択図】図３
2016100883.tif 000002
【特許請求の範囲】
【請求項１】
撮影装置の撮影映像を、前記撮影装置の解像度よりも低いビューファインダで表示する際に、操作面の操作により位置信号または切替信号を操作信号として出力するポインティングデバイスから入力される前記操作信号に基づいて、前記ビューファインダの表示状態を切り替えるフォーカスアシスト装置であって、
前記撮影映像を前記ビューファインダの解像度の映像に縮小したダウンコンバート映像を生成するダウンコンバート手段と、
前記操作信号として入力される前記位置信号から、前記撮影映像の切出座標を計算する切出座標計算手段と、
この切出座標計算手段で計算された切出座標に基づいて、前記撮影映像から、前記撮影映像の１画素を前記ビューファインダの１画素以上で表示可能な領域の映像を切出映像として切り出す映像切出手段と、
前記操作信号として入力される前記切替信号に基づいて、前記ダウンコンバート映像と、前記切出映像とのいずれを表示対象とするかを判定する映像切替判定手段と、
この映像切替判定手段で判定された前記ダウンコンバート映像または前記切出映像を切り替えて前記ビューファインダに出力する映像切替出力手段と、
を備えることを特徴とするフォーカスアシスト装置。
【請求項２】
前記映像切出手段で切り出された切出映像から、予め定めた周波数以上の高域空間周波数成分を有する領域を強調した合焦強調映像を生成する合焦強調映像生成手段をさらに備え、
前記映像切替判定手段は、前記ダウンコンバート映像および前記切出映像に前記合焦強調映像を加えて、前記切替信号による表示対象の判定を行い、
前記映像切替出力手段は、前記映像切替判定手段で判定された前記ダウンコンバート映像、前記切出映像または前記合焦強調映像を切り替えて前記ビューファインダに出力することを特徴とする請求項１に記載のフォーカスアシスト装置。
【請求項３】
前記切出映像は、その画素数が前記ビューファインダの表示画素数よりも少ない映像であって、
前記映像切替出力手段は、前記切出映像を出力する際に、前記ダウンコンバート映像上の前記切出座標に対応する位置に前記切出映像を合成して出力することを特徴とする請求項１に記載のフォーカスアシスト装置。
【請求項４】
前記切出映像は、その画素数が前記ビューファインダの表示画素数よりも少ない映像であって、
前記映像切替出力手段は、前記切出映像を出力する際または前記合焦強調映像を出力する際に、前記ダウンコンバート映像上の前記切出座標に対応する位置に前記切出映像または前記合焦強調映像を合成して出力することを特徴とする請求項２に記載のフォーカスアシスト装置。
【請求項５】
前記映像切出手段は、前記操作信号として入力される前記切替信号に基づいて、順次、拡大倍率を変えて前記切出映像を切り出すことを特徴とする請求項１に記載のフォーカスアシスト装置。
【請求項６】
コンピュータを、請求項１から請求項５のいずれか一項に記載のフォーカスアシスト装置として機能させるためのフォーカスアシストプログラム。
【発明の詳細な説明】
【技術分野】
【０００１】
本発明は、超高精細撮影カメラのフォーカス調整を、当該超高精細撮影カメラの解像度より低いビューファインダで行うためのフォーカスアシスト装置およびそのプログラムに関する。
【背景技術】
【０００２】
近年、次世代の映像フォーマットとして、ハイビジョン（ＨＤ：High Definition）の１６倍の画素数（７６８０×４３２０：８Ｋ解像度）を持つスーパーハイビジョン（８Ｋ  ＵＨＤ〔８Ｋ  Ｕｌｔｒａ  ＨＤ〕）が登場している。また、これにあわせて、映像素材を超高精細映像で撮影する超高精細撮影カメラも登場している。
しかし、映像の高精細化に伴って、撮像素子の画素サイズが小さくなり、被写界深度が浅くなることから、フォーカス調整が非常に難しくなっている。
【０００３】
そこで、フォーカス調整を補助する機能（フォーカスアシスト機能）として、撮影映像の空間周波数の高い領域がフォーカスの合っている領域であることを利用し、撮影映像の当該領域部分にマーカ（ピーキング画像）を合成してビューファインダに表示する手法が開示されている（特許文献１参照）。
また、他のフォーカスアシスト機能として、撮影映像の一部を拡大して、ビューファインダに表示する手法が開示されている（特許文献２参照）。
このように、従来は、ビューファインダに表示されたマーカや拡大映像をカメラマンに視認させることで、フォーカス調整を可能としている。
【先行技術文献】
【特許文献】
【０００４】
【特許文献１】特開２０１１−１７６７８８号公報
【特許文献２】特開２００７−３３６２５７号公報
【発明の概要】
【発明が解決しようとする課題】
【０００５】
現在、超高精細撮影カメラを操作するカメラマンが視認するビューファインダは、１９２０×１０８０（２Ｋ解像度）や３８４０×２１６０（４Ｋ解像度）程度の解像度を有する小型のモニタである。
そこで、特許文献１に記載の手法を用い、フォーカスの合っている領域にマーカを合成したとしても、ビューファインダの解像度の制限により、映像は縮小され、劣化して表示されるため、細かいフォーカス調整は困難である。
【０００６】
また、特許文献２に記載された手法を用い、ビューファインダに拡大した映像を表示する場合、どの領域を拡大するのかを指定する必要があるが、特許文献２には、撮影映像の画角に対して、どの領域を拡大するのかが開示されていない。すなわち、この手法は、少なくとも、拡大領域を指定するために、別途、スイッチ等の手段が必要になる。
このような映像を拡大するための指示や、拡大すべき領域を指定するスイッチ等の操作は、パン、チルトの操作に加え、フォーカス調整を行うカメラマンにとっては、より簡易で、撮影に影響を与えないものであることが望まれる。
【０００７】
本発明は、このような問題に鑑みてなされたものであり、カメラマンが、撮影映像よりも解像度の低いビューファインダを見ながらフォーカス調整を行う場合に、容易にフォーカス対象となる領域を選択し、ビューファインダに劣化のない映像を表示して、フォーカス調整を行うことが可能なフォーカスアシスト装置およびそのプログラムを提供することを課題とする。
【課題を解決するための手段】
【０００８】
前記課題を解決するため、本発明に係るフォーカスアシスト装置は、撮影装置の撮影映像を、撮影装置の解像度よりも低いビューファインダで表示する際に、操作面の操作により位置信号または切替信号を操作信号として出力するポインティングデバイスから入力される操作信号に基づいて、ビューファインダの表示状態を切り替えるフォーカスアシスト装置であって、ダウンコンバート手段と、切出座標計算手段と、映像切出手段と、映像切替判定手段と、映像切替出力手段と、を備える構成とした。
【０００９】
かかる構成において、フォーカスアシスト装置は、ダウンコンバート手段によって、スーパーハイビジョンのような超高精細映像な撮影映像をビューファインダの解像度の映像に縮小したダウンコンバート映像を生成する。このダウンコンバート映像は、カメラマンにとって、ビューファインダ上で撮影映像全体が視認可能な映像となる。
【００１０】
また、フォーカスアシスト装置は、切出座標計算手段によって、操作信号として入力される位置信号から、撮影映像の切出座標を計算する。そして、フォーカスアシスト装置は、映像切出手段によって、切出座標計算手段で計算された切出座標に基づいて、撮影映像から、撮影映像の１画素をビューファインダの１画素以上で表示可能な領域の映像を切出映像として切り出す。この切出映像は、撮影映像の１画素が、少なくともビューファインダの１画素に表示されるため、カメラマンにとって、フォーカス調整を行う際に劣化がなく、フォーカスの確認を行うことができる映像となる。
【００１１】
また、フォーカスアシスト装置は、映像切替判定手段によって、操作信号として入力される切替信号に基づいて、ダウンコンバート映像と切出映像とのいずれを表示対象とするかを判定する。
そして、フォーカスアシスト装置は、映像切替出力手段によって、映像切替判定手段で判定されたダウンコンバート映像または切出映像を切り替えてビューファインダに出力する。これによって、フォーカスアシスト装置は、ポインティングデバイスの操作面を操作する簡易な操作で、フォーカス対象の領域を選択し、ダウンコンバート映像と切出映像とを切り替えることができる。
なお、フォーカスアシスト装置は、コンピュータを前記した各手段として機能させるプログラム（フォーカスアシストプログラム）で動作させることができる。
【発明の効果】
【００１２】
本発明は、以下に示す優れた効果を奏するものである。
本発明によれば、解像度が超高精細映像の解像度よりも低いビューファインダであっても、ビューファインダの表示を、超高精細映像の１画素をビューファインダの１画素以上で表示する表示状態に切り替えることで、カメラマンが細かいフォーカス調整を行うことができる。
また、本発明によれば、ポインティングデバイスの操作面を操作する簡易な操作で、フォーカス調整時のビューファインダの表示を切り替えることができるとともに、フォーカス調整を行いたい領域を容易に選択することができる。
【図面の簡単な説明】
【００１３】
【図１】本発明の実施形態に係るフォーカスアシスト装置を備えた撮影装置の斜視図である。
【図２】ポインティングデバイスをタッチパッドとしたときの操作動作を説明するための説明図であって、（ａ）は接触摺動操作の例、（ｂ）は圧力式タッチパッドにおける押し込み操作の例、（ｃ）は静電容量方式タッチパネルにおけるタップ操作の例を示す。
【図３】本発明の第１実施形態に係るフォーカスアシスト装置の構成を示すブロック構成図である。
【図４】本発明の第１実施形態に係るフォーカスアシスト装置の動作（映像変換動作）を示すフローチャートである。
【図５】本発明の第１実施形態に係るフォーカスアシスト装置の動作（状態設定動作）を示すフローチャートである。
【図６】本発明の第１実施形態に係るフォーカスアシスト装置のメモリの映像保存状態を説明するための説明図である。
【図７】本発明の第２実施形態に係るフォーカスアシスト装置の構成を示すブロック構成図である。
【図８】本発明の第２実施形態に係るフォーカスアシスト装置のメモリの映像保存状態を説明するための説明図である。
【図９】本発明の第３実施形態に係るフォーカスアシスト装置の構成を示すブロック構成図である。
【図１０】本発明の第３実施形態に係るフォーカスアシスト装置の動作（映像変換動作）を示すフローチャートである。
【図１１】本発明の第３実施形態に係るフォーカスアシスト装置の動作（状態設定動作）を示すフローチャートである。
【図１２】本発明の第３実施形態に係るフォーカスアシスト装置のメモリの映像保存状態を説明するための説明図である。
【図１３】本発明の第４実施形態に係るフォーカスアシスト装置の構成を示すブロック構成図である。
【図１４】本発明の第５実施形態に係るフォーカスアシスト装置の構成を示すブロック構成図である。
【図１５】本発明の第５実施形態に係るフォーカスアシスト装置の遷移状態を示す図である。
【図１６】ポインティングデバイスをタッチパッドとしたときの操作動作を説明するための説明図であって、（ａ）はピンチアウトの例、（ｂ）はピンチインの例を示す。
【図１７】本発明の第５実施形態に係るフォーカスアシスト装置においてピンチイン／ピンチアウト動作を行った際に遷移状態を示す図である。
【図１８】本発明の第５実施形態に係るフォーカスアシスト装置のメモリの映像保存状態を説明するための説明図である。
【発明を実施するための形態】
【００１４】
以下、本発明の実施形態について図面を参照して説明する。
≪撮影装置の全体構成≫
最初に、図１を参照して、本発明の実施形態に係るフォーカスアシスト装置を備えた撮影装置の全体構成について説明する。
撮影装置Ｃは、被写体を撮影するカメラであって、スーパーハイビジョンの映像（以下、８Ｋ映像）を撮影可能な超高精細撮影カメラとする。
ここでは、撮影装置Ｃは、カメラヘッド１と、フォーカスアシスト装置２と、ビューファインダ（モニタ）３と、ポインティングデバイス４と、雲台５と、を備える。
【００１５】
カメラヘッド１は、図示を省略した光学系、撮像素子等を含んだカメラ本体である。このカメラヘッド１で撮影された８Ｋ映像（映像信号）は、図示を省略した信号線を介して、フォーカスアシスト装置２に出力される。
【００１６】
フォーカスアシスト装置２は、カメラヘッド１で撮影された映像（８Ｋ映像）を、ビューファインダ３で表示する映像に変換するものである。ここで、フォーカスアシスト装置２は、ポインティングデバイス４によって指示された８Ｋ映像内の領域について、少なくとも映像信号の１画素をビューファインダ３の１画素以上に対応させた映像に変換し、ビューファインダ３用の映像を生成する。このフォーカスアシスト装置２で生成された映像（映像信号）は、図示を省略した信号線を介して、ビューファインダ３に出力される。これによって、フォーカスアシスト装置２は、カメラマンがフォーカス調整を行う際に、フォーカスを行いたい領域について、劣化のない映像をビューファインダ３に表示させることができる。このフォーカスアシスト装置２については、後で詳細に説明を行う。
【００１７】
ビューファインダ（モニタ）３は、カメラヘッド１で撮影された映像が、フォーカスアシスト装置２を介して変換された映像を表示するものである。このビューファインダ３は、カメラヘッド１で撮影される映像（８Ｋ映像）よりも解像度が低く、ここでは、４Ｋ解像度の映像（以下、４Ｋ映像）を表示するものとする。
【００１８】
ポインティングデバイス４は、カメラヘッド１で撮影された映像内で、カメラマンがフォーカス調整を行いたい領域（位置）を指し示すものである。このポインティングデバイス４は、操作面の操作により操作信号を出力するもので、例えば、タッチパッドを用いることができる。このポインティングデバイス４の操作面の操作は、操作面において接触状態を感知可能であれば、手指、ペン等、特に限定するものではないが、ここでは、カメラマンの操作性を考慮して手指で操作することとして説明する。
このポインティングデバイス４は、図示を省略した信号線を介して、操作信号をフォーカスアシスト装置２に出力する。
【００１９】
このポインティングデバイス４は、例えば、タッチパッドの場合、図２に示すような操作を示す操作信号を出力する。すなわち、図２（ａ）に示すように、手指による接触摺動があった場合、移動量（または絶対位置）を検知し、その移動量（または絶対位置）を操作信号（位置信号）として出力する。
また、図２（ｂ）に示すように、タッチパッドが圧力式タッチパッドの場合、手指の押し込み操作により所定以上の圧力を検知し、表示状態の切り替えを示す操作信号（切替信号）を出力する。また、図２（ｃ）に示すように、タッチパッドが静電容量方式タッチパッドの場合、手指のタップ操作により、静電容量の変化を検出し、表示状態の切り替えを示す操作信号（切替信号）を出力する。
このように、操作面に対する手指の接触状態を操作信号として出力するポインティングデバイス４を用いることで、操作の振動がカメラヘッド１に伝わることを防止することができる。
【００２０】
雲台５は、三脚等に取り付けてカメラヘッド１を搭載する台である。この雲台５は、パン方向およびチルト方向に回転するパン機構およびチルト機構（不図示）を備え、カメラマンによる雲台５に固定されたパンアーム５ａの操作によって、パン方向またはチルト方向に回転する。
このパンアーム５ａにポインティングデバイス４を備えることで、カメラマンのパン操作、チルト操作時においても容易にポインティングデバイス４の操作を行うことができる。なお、ここでは、ポインティングデバイス４をタッチパッドとして、パンアーム５ａに固定した例を示しているが、ポインティングデバイス４は、ビューファインダ３の表示面に備えたタッチパネルとしてもよい。
以下、フォーカスアシスト装置２の構成および動作について詳細に説明する。
【００２１】
≪第１実施形態≫
＜フォーカスアシスト装置の構成＞
まず、図３を参照して、本発明の第１実施形態に係るフォーカスアシスト装置２の構成について説明する。
図３に示すように、フォーカスアシスト装置２は、映像入力手段２０と、ダウンコンバート手段２１と、映像切出手段２２と、操作信号入力手段２３と、切出座標計算手段２４と、映像切替判定手段２５と、映像切替出力手段２６と、を備える。なお、各手段を経由する映像は、図示を省略したメモリ（フレームメモリ）を介して送受される。
【００２２】
映像入力手段２０は、カメラヘッド１から映像（８Ｋ映像）を入力するものである。この映像入力手段２０は、入力した８Ｋ映像を、図示を省略したメモリを介して、ダウンコンバート手段２１および映像切出手段２２に出力する。
【００２３】
ダウンコンバート手段２１は、映像入力手段２０から入力された映像を、ビューファインダ３の解像度の映像に縮小（ダウンコンバート）するものである。ここでは、カメラヘッド１から入力される映像を８Ｋ映像、ビューファインダ３の解像度を４Ｋ解像度としているため、ダウンコンバート手段２１は、入力された８Ｋ映像を４Ｋ映像に縮小する。
このダウンコンバート手段２１は、縮小した映像（４Ｋ映像）を映像切替出力手段２６に出力する。
これによって、ダウンコンバート手段２１は、入力された８Ｋ映像を、その全体をビューファインダ３で表示可能な映像に変換することができる。
【００２４】
映像切出手段２２は、映像入力手段２０から入力された映像から、当該映像の１画素をビューファインダ３の１画素に表示可能な映像を抽出するものである。
ここでは、映像切出手段２２は、切出座標計算手段２４から入力される切出座標を中心として、入力された８Ｋ映像から、画素数がビューファインダ３の表示画素数よりも少ない映像を切り出す。ここでは、ビューファインダ３と同じアスペクト比の２Ｋ映像を切り出すこととする。この映像切出手段２２は、切り出した映像（２Ｋ映像）を映像切替出力手段２６に出力する。
【００２５】
また、映像切出手段２２は、切出座標から、切り出した映像を表示するための表示座標を計算し、映像切替出力手段２６に出力する。なお、この表示座標は、ダウンコンバート後の映像であって、ビューファインダ３に表示する映像の座標系に対応する座標である。具体的には、切出座標（Ｘ，Ｙ）が８Ｋ映像の座標系を基準にしたものであるため、ダウンコンバート後の４Ｋ映像の座標系においては、表示座標を（Ｘ／２，Ｙ／２）とすればよい。この映像切出手段２２は、表示座標を映像切替出力手段２６に出力する。
これによって、映像切出手段２２は、入力された８Ｋ映像から、ビューファインダ３においてドットバイドットで表示可能な映像（８Ｋ映像の１画素がビューファインダ３の１画素に対応した映像）を切り出すことができる。
【００２６】
操作信号入力手段２３は、ポインティングデバイス４から、操作信号を入力するものである。この操作信号入力手段２３は、入力された操作信号が、移動量を示す操作信号（位置信号）である場合（図２（ａ）参照）、水平方向の移動量ΔＸと垂直方向の移動量ΔＹとからなる座標移動量を、切出座標計算手段２４に出力する。なお、ポインティングデバイス４として、移動量ではなく絶対位置を出力するものを用いる場合、操作信号入力手段２３は、入力した絶対位置の座標を切出座標計算手段２４に出力する。
また、操作信号入力手段２３は、入力された操作信号が、表示状態の切り替えを示す信号（押し込み／タップ：切替信号）である場合（図２（ｂ），（ｃ）参照）、映像の切り替えを行う指示信号（切替指示）を映像切替判定手段２５に出力する。
【００２７】
切出座標計算手段２４は、操作信号入力手段２３から入力される座標移動量（位置信号）から、カメラヘッド１から入力される映像（８Ｋ映像）の切出位置（切出座標）を計算するものである。ここでは、切出座標計算手段２４は、予め定めた基準位置（例えば、８Ｋ映像の中心座標）を初期値として、座標移動量（ΔＸ，ΔＹ）を順次加算して、切出座標（Ｘ，Ｙ）を算出する。この切出座標を中心として、映像切出手段２２が２Ｋ映像を切り出せない場合、切出座標計算手段２４は、切出座標をずらすこととする。もちろん、この切出座標をずらす処理は、映像切出手段２２で行うこととしてもよい。
【００２８】
なお、操作信号入力手段２３から、座標移動量ではなく、絶対位置の座標を入力することとした場合、切出座標計算手段２４は、絶対座標、すなわち、ポインティングデバイス４の座標系の値を、８Ｋ映像の座標系に変換した座標を切出座標（Ｘ，Ｙ）として算出すればよい。
この切出座標計算手段２４は、計算した切出座標を映像切出手段２２に出力する。
これによって、切出座標計算手段２４は、カメラマンがフォーカスを調整したいと思う８Ｋ映像の領域に対応する切出座標を計算することができる。
【００２９】
映像切替判定手段２５は、操作信号入力手段２３から入力される切替指示に基づいて、映像切出手段２２で切り出された映像（２Ｋ映像）を表示させるか否かを判定するものである。すなわち、映像切替判定手段２５は、ダウンコンバート手段２１で生成された映像（４Ｋ映像）に、映像切出手段２２で切り出された映像（２Ｋ映像）を合成するか否かを判定するものである。
ここでは、映像切替判定手段２５は、ダウンコンバート手段２１で生成された４Ｋ映像のみを表示している状態（ダウンコンバート映像〔以下、Ｄ／Ｃ映像〕表示状態）で、切替指示が入力された場合、映像切出手段２２で切り出された２Ｋ映像を表示すると判定し、その旨の指定（映像指定：切出映像）を映像切替出力手段２６に出力する。
【００３０】
また、２Ｋ映像が表示されている状態（切出映像表示状態）で、切替指示が入力された場合、映像切替判定手段２５は、映像切出手段２２で切り出された２Ｋ映像を表示しないと判定し、その旨の指定（映像指定：Ｄ／Ｃ映像）を映像切替出力手段２６に出力する。
また、映像切替判定手段２５は、現在の表示状態を保持し、切替指示が入力されるたびに、その状態を切り替えて映像指定を行う。
なお、２Ｋ映像を表示しないと判定した場合、映像切替判定手段２５は、さらに、映像切出手段２２に映像の切り出しを行わないように指示することとしてもよい。
これによって、映像切替判定手段２５は、現状の表示状態から、４Ｋ映像の表示と、４Ｋ映像に２Ｋ映像を合成した映像の表示とのいずれに切り替えるかを判定することができる。
【００３１】
映像切替出力手段２６は、映像切替判定手段２５から指示される映像指定によって、ダウンコンバート手段２１で生成されたＤ／Ｃ映像（４Ｋ映像）と、そのＤ／Ｃ映像に、映像切出手段２２で切り出された切出映像（２Ｋ映像）を合成した映像とを切り替えて、ビューファインダ３に出力するものである。
この映像切替出力手段２６は、映像指定により２Ｋ映像を合成する場合、４Ｋ映像上で、映像切出手段２２から出力される表示座標を中心とした領域に、２Ｋ映像をオーバーレイ合成する。
なお、映像切替出力手段２６は、映像切替判定手段２５から映像指定を入力した場合、次の映像指定が入力されるまで、その状態（Ｄ／Ｃ映像表示状態、切出映像表示状態）を継続する。
【００３２】
以上説明したようにフォーカスアシスト装置２を構成することで、フォーカスアシスト装置２は、カメラマンのポインティングデバイス４の簡易な操作によって、所望の映像領域をドットバイドットでビューファインダ３に表示させることができる。
これによって、フォーカスアシスト装置２は、カメラヘッド１の解像度よりも低いビューファインダ３であっても、フォーカス調整を行う際に、ドットバイドット表示によって、カメラマンが映像の細部まで確認することができ、８Ｋ映像等の超高精細映像において、精度よくフォーカス調整を行うことができる。
【００３３】
＜フォーカスアシスト装置の動作＞
次に、図４および図５を参照（構成については適宜図３参照）して、本発明の第１実施形態に係るフォーカスアシスト装置２の動作について説明する。また、フォーカスアシスト装置２の各手段が動作時においてメモリを介して送受する映像については、適宜図６を参照することとする。
【００３４】
ここで、図４は、フォーカスアシスト装置２が８Ｋ映像をビューファインダ３用の映像に変換する動作を示すフローチャートである。また、図５は、フォーカスアシスト装置２が、カメラマンの操作によってフォーカス調整用の映像を切り替える状態を設定する動作を示すフローチャートである。この図４の映像の映像変換動作、図５の状態設定動作は、それぞれ並行して動作する。
【００３５】
最初に、図４を参照して、フォーカスアシスト装置２の映像変換動作について説明する。
まず、フォーカスアシスト装置２は、映像入力手段２０によって、カメラヘッド１から８Ｋ映像を入力する（ステップＳ１）。
そして、フォーカスアシスト装置２は、ダウンコンバート手段２１によって、ステップＳ１で入力された８Ｋ映像を、ビューファインダ３の解像度にあわせた４Ｋ映像に縮小（ダウンコンバート）する（ステップＳ２）。
これによって、図６に示すように、映像入力手段２０によって入力され、メモリ（８Ｋフレームメモリ３１）に一時保存された８Ｋ映像を、ダウンコンバート手段２１が、４Ｋ映像に縮小し、メモリ（４Ｋフレームメモリ３２）に保存する。
【００３６】
一方、フォーカスアシスト装置２は、映像切出手段２２によって、ステップＳ１で入力された８Ｋ映像から、指定された切出座標を中心に２Ｋ映像を切り出す（ステップＳ３）。なお、この切出座標は、後で説明する図５のステップＳ１２で計算されるものであるが、初期値としては、例えば、８Ｋ映像の中心座標とする。
これによって、図６に示すように、映像入力手段２０によって入力され、メモリ（８Ｋフレームメモリ３１）に一時保存された８Ｋ映像から、映像切出手段２２が、２Ｋ映像を切り出し、メモリ（２Ｋフレームメモリ３３）に保存する。
【００３７】
そして、フォーカスアシスト装置２は、映像切替出力手段２６によって、現在のビューファインダ３への表示の状態が切出映像表示状態であるか否かを判定する（ステップＳ４）。なお、この状態の更新は、後で説明する図５のステップＳ１５，Ｓ１６によって行われる。
【００３８】
ここで、現在の状態が切出映像表示状態である場合（ステップＳ４でＹｅｓ）、フォーカスアシスト装置２は、映像切替出力手段２６によって、ステップＳ２でダウンコンバートされた４Ｋ映像に、ステップＳ３で切り出された２Ｋ映像をオーバーレイ合成する（ステップＳ５）。なお、現在の状態がＤ／Ｃ映像表示状態である場合（ステップＳ４でＮｏ）、映像切替出力手段２６は合成を行わない。
【００３９】
これによって、映像切替出力手段２６は、図６に示すように、切出映像の表示を行う場合には、４Ｋフレームメモリ３２に保存されている４Ｋ映像（Ｄ／Ｃ映像）に、２Ｋフレームメモリ３３に保存されている２Ｋ映像（切出映像）を合成し、ビューファインダ３に出力するための表示メモリ（表示４Ｋフレームメモリ３４）に保存する。また、切出映像の表示を行わない場合、映像切替出力手段２６は、４Ｋフレームメモリ３２に保存されている４Ｋ映像（Ｄ／Ｃ映像）を、表示４Ｋフレームメモリ３４に単純コピーする。
【００４０】
そして、フォーカスアシスト装置２は、映像切替出力手段２６によって、ステップＳ５で２Ｋ映像を合成した４Ｋ映像、または、合成が行われなかった４Ｋ映像を、ビューファインダ３に出力する（ステップＳ６）。
なお、このステップＳ１からＳ６までの動作は、カメラヘッド１から入力されるフレーム単位で繰り返し実行される。
【００４１】
次に、図５を参照して、フォーカスアシスト装置２の状態設定動作について説明する。
まず、フォーカスアシスト装置２は、操作信号入力手段２３によって、ポインティングデバイス４から、操作信号を入力する（ステップＳ１０）。
そして、フォーカスアシスト装置２は、操作信号入力手段２３によって、入力された操作信号が、移動量を示す操作信号であるか否かを判定する（ステップＳ１１）。
ここで、操作信号が移動量を示す操作信号である場合（ステップＳ１１でＹｅｓ）、フォーカスアシスト装置２は、切出座標計算手段２４によって、８Ｋ映像中の切出座標を計算する（ステップＳ１２）。この切出座標は、先に説明した図４のステップＳ３において使用される。そして、フォーカスアシスト装置２は、本動作を終了する。
【００４２】
一方、操作信号が移動量を示す操作信号（位置信号）でない場合（ステップＳ１１でＮｏ）、フォーカスアシスト装置２は、操作信号入力手段２３によって、入力された操作信号が、表示状態の切り替えを示す操作信号（切替信号）であるか否かを判定する（ステップＳ１３）。
ここで、操作信号が表示状態の切り替えを示す操作信号（切替信号）である場合（ステップＳ１３でＹｅｓ）、フォーカスアシスト装置２は、映像切替判定手段２５によって、現在の状態が切出映像表示状態であるか否かを判定する（ステップＳ１４）。
【００４３】
そして、現在の状態が切出映像表示状態である場合（ステップＳ１４でＹｅｓ）、フォーカスアシスト装置２は、映像切替判定手段２５によって、現在の状態をＤ／Ｃ映像表示状態に設定する（ステップＳ１５）。一方、現在の状態がＤ／Ｃ映像表示状態である場合（ステップＳ１４でＮｏ）、フォーカスアシスト装置２は、映像切替判定手段２５によって、現在の状態を切出映像表示状態に設定する（ステップＳ１６）。このように設定された表示状態は、先に説明した図４のステップＳ４において参照される。
なお、このステップＳ１０からＳ１６までの動作は、カメラマンが適宜ポインティングデバイス４を操作するタイミングで実行される。
【００４４】
以上、本発明の第１実施形態に係るフォーカスアシスト装置２の構成および動作について説明したが、本発明は、この実施形態に限定されるものではない。以下、本発明の他の実施形態について説明する。
【００４５】
≪第２実施形態≫
＜フォーカスアシスト装置の構成＞
図７を参照して、本発明の第２実施形態に係るフォーカスアシスト装置２Ｂの構成について説明する。
図３で説明したフォーカスアシスト装置２は、フォーカス調整を行う際に、ビューファインダ３の解像度よりも低い解像度の映像をドットバイドット表示するものであった。
図７に示すフォーカスアシスト装置２Ｂは、フォーカス調整を行う際に、ビューファインダ３の解像度と同じ解像度の映像をドットバイドット表示するものである点が、フォーカスアシスト装置２とは異なる。
【００４６】
図７に示すように、フォーカスアシスト装置２Ｂは、映像入力手段２０と、ダウンコンバート手段２１と、映像切出手段２２Ｂと、操作信号入力手段２３と、切出座標計算手段２４と、映像切替判定手段２５と、映像切替出力手段２６Ｂと、を備える。
映像切出手段２２Ｂおよび映像切替出力手段２６Ｂ以外の構成については、図３で説明したフォーカスアシスト装置２と同じ構成であるため、同一の符号を付して説明を省略する。
【００４７】
映像切出手段２２Ｂは、映像入力手段２０から入力された映像から、当該映像の１画素をビューファインダ３の１画素に表示可能な、ビューファインダ３と同じ解像度の映像を抽出するものである。
ここでは、映像切出手段２２Ｂは、切出座標計算手段２４から入力される切出座標を中心として、入力された８Ｋ映像から、ビューファインダ３と同じ解像度で同じアスペクト比の４Ｋ映像を切り出す。この映像切出手段２２Ｂは、切り出した映像（４Ｋ映像）を映像切替出力手段２６Ｂに出力する。
これによって、映像切出手段２２Ｂは、入力された８Ｋ映像から、ビューファインダ３においてドットバイドットで最大表示可能な映像を切り出すことができる。
【００４８】
映像切替出力手段２６Ｂは、映像切替判定手段２５から指示される映像指定によって、ダウンコンバート手段２１で生成された映像（４Ｋ映像）と、映像切出手段２２Ｂで切り出された映像（４Ｋ映像）とを切り替えて、ビューファインダ３に出力するものである。
なお、映像切替出力手段２６Ｂは、映像切替判定手段２５から映像指定を入力した場合、次の映像指定が入力されるまで、その状態（Ｄ／Ｃ映像表示状態、切出映像表示状態）を継続する。
【００４９】
これによって、フォーカスアシスト装置２Ｂは、解像度がカメラヘッド１の解像度よりも低いビューファインダ３であっても、フォーカス調整を行う際に、ドットバイドット表示によって、カメラマンが映像の細部まで確認することができ、８Ｋ映像等の超高精細映像において、精度よくフォーカス調整を行うことができる。
【００５０】
＜フォーカスアシスト装置の動作＞
フォーカスアシスト装置２Ｂの動作は、基本的に、図４および図５で説明したフォーカスアシスト装置２と同じであるが、ステップＳ３，Ｓ５，Ｓ６の動作が異なっている。
まず、フォーカスアシスト装置２Ｂは、図４のステップＳ３において、映像切出手段２２Ｂによって、ステップＳ１で入力された８Ｋ映像から、指定された切出座標を中心に４Ｋ映像を切り出す。
すなわち、図８に示すように、映像入力手段２０によって入力され、メモリ（８Ｋフレームメモリ３１）に一時保存された８Ｋ映像から、映像切出手段２２Ｂが、４Ｋ映像を切り出し、メモリ（４Ｋフレームメモリ３３Ａ）に保存する。
【００５１】
また、フォーカスアシスト装置２Ｂは、図４のステップＳ５の合成動作を行わず、ステップＳ６において、現在の状態が切出映像表示状態である場合（ステップＳ４でＹｅｓ）、映像切替出力手段２６Ｂが、切り出した４Ｋ映像をビューファインダ３に出力する。また、現在の状態がＤ／Ｃ映像表示状態である場合（ステップＳ４でＮｏ）、映像切替出力手段２６Ｂが、ステップＳ２でダウンコンバートした４Ｋ映像をビューファインダ３に出力する。
【００５２】
すなわち、映像切替出力手段２６Ｂは、図８に示すように、４Ｋフレームメモリ３２に保存されている４Ｋ映像（Ｄ／Ｃ４Ｋ映像）または４Ｋフレームメモリ３３Ａに保存されている４Ｋ映像（切出４Ｋ映像）とのいずれか一方を、ビューファインダ３に出力するための表示メモリ（表示４Ｋフレームメモリ３４）に単純コピーする。
以上説明したフォーカスアシスト装置２Ｂによれば、フォーカスアシスト装置２よりも広い映像領域をドットバイドットでビューファインダ３に表示させることができる。
【００５３】
≪第３実施形態≫
＜フォーカスアシスト装置の構成＞
図９を参照して、本発明の第３実施形態に係るフォーカスアシスト装置２Ｃの構成について説明する。
図９に示すフォーカスアシスト装置２Ｃは、図３で説明したフォーカスアシスト装置２がドットバイドット表示する切出映像に対して、さらにフォーカスの合っている領域を強調して表示する機能を付加している。
【００５４】
図９に示すように、フォーカスアシスト装置２Ｃは、映像入力手段２０と、ダウンコンバート手段２１と、映像切出手段２２Ｃと、操作信号入力手段２３と、切出座標計算手段２４と、映像切替判定手段２５Ｃと、映像切替出力手段２６Ｃと、合焦強調映像生成手段２７と、を備える。
映像切出手段２２Ｃ、映像切替判定手段２５Ｃ、映像切替出力手段２６Ｃおよび合焦強調映像生成手段２７以外の構成については、図３で説明したフォーカスアシスト装置２と同じ構成であるため、同一の符号を付して説明を省略する。
【００５５】
映像切出手段２２Ｃは、基本的には、図３で説明した映像切出手段２２と同じものであるが、切り出した映像（２Ｋ映像）をさらに合焦強調映像生成手段２７に出力する点のみが異なっている。
【００５６】
映像切替判定手段２５Ｃは、操作信号入力手段２３から入力される切替指示に基づいて、映像切出手段２２Ｃで切り出された映像（２Ｋ映像）を表示させるか否かを判定するものである。なお、映像切替判定手段２５Ｃは、操作信号入力手段２３から切り替え指示が入力されるたびに、３つの表示状態を遷移するように映像指定を切り替える。
【００５７】
１つ目の表示状態は、ダウンコンバート手段２１でダウンコンバートされた映像（４Ｋ映像：Ｄ／Ｃ映像）を表示する状態である。このとき、映像切替判定手段２５Ｃは、その表示状態を指示する指定（映像指定：Ｄ／Ｃ映像）を映像切替出力手段２６Ｃに出力する。
【００５８】
２つ目の表示状態は、ダウンコンバートされたＤ／Ｃ映像（４Ｋ映像）に、映像切出手段２２で切り出された切出映像（２Ｋ映像）を合成して表示する状態である。このとき、映像切替判定手段２５Ｃは、その表示状態を指示する指定（映像指定：切出映像）を映像切替出力手段２６Ｃに出力する。
【００５９】
３つ目の表示状態は、ダウンコンバートされたＤ／Ｃ映像（４Ｋ映像）に、映像切出手段２２で切り出された切出映像（２Ｋ映像）内で焦点が合っている部分を強調した映像を合成して表示する状態である。このとき、映像切替判定手段２５Ｃは、その表示状態を指示する指定（映像指定：合焦強調切出映像）を映像切替出力手段２６Ｃに出力する。この表示状態の遷移順序は、この順序に限定されるものではない。
【００６０】
なお、映像切替判定手段２５Ｃは、Ｄ／Ｃ映像を表示させると判定した場合、映像切出手段２２Ｃに映像の切り出しを行わないように指示することとしてもよい。また、映像切替判定手段２５Ｃは、切出映像を表示させると判定した場合、合焦強調映像生成手段２７に合焦強調切出映像の生成を行わないように指示することとしてもよい。
【００６１】
映像切替出力手段２６Ｃは、映像切替判定手段２５Ｃから指示される映像指定によって、ダウンコンバート手段２１で生成されたＤ／Ｃ映像（４Ｋ映像）と、Ｄ／Ｃ映像に映像切出手段２２Ｃで切り出された切出映像を合成した映像（２Ｋ映像）と、Ｄ／Ｃ映像に合焦強調映像生成手段２７で生成された合焦強調切出映像を合成した映像（２Ｋ映像）とを切り替えて、ビューファインダ３に出力するものである。
なお、映像切替出力手段２６Ｃは、映像切替判定手段２５Ｃから映像指定を入力した場合、次の映像指定が入力されるまで、その状態（Ｄ／Ｃ映像表示状態、切出映像表示状態、合焦強調切出映像表示状態）を継続する。
【００６２】
合焦強調映像生成手段２７は、映像切出手段２２Ｃで切り出された映像において、フォーカスが合っている領域を強調した映像を生成するものである。ここでは、合焦強調映像生成手段２７は、高域抽出手段２７ａと、強調合成手段２７ｂと、を備える。
【００６３】
高域抽出手段２７ａは、映像切出手段２２Ｃで切り出された映像から予め定めた周波数以上の高域空間周波数成分を抽出するものである。この高域抽出手段２７ａは、一般的な高域通過フィルタで構成することができる。
この高域抽出手段２７ａは、抽出した高域空間周波数成分を強調合成手段２７ｂに出力する。
【００６４】
強調合成手段２７ｂは、映像切出手段２２Ｃで切り出された切出映像に、高域抽出手段２７ａで抽出された高域空間周波数成分をマーカ（ピーキング画像）として合成するものである。この強調合成手段２７ｂは、例えば、抽出された高域空間周波数成分を予め定めた色とする画像（ピーキング画像）とし、切出映像に合成する。
これによって、強調合成手段２７ｂは、フォーカスが合っている領域を強調した映像（合焦強調映像）を生成することができる。
この強調合成手段２７ｂは、生成した合焦強調映像を、映像切替出力手段２６Ｃに出力する。
【００６５】
これによって、フォーカスアシスト装置２Ｃは、解像度がカメラヘッド１の解像度よりも低いビューファインダ３であっても、フォーカス調整を行う際に、ドットバイドット表示によって、カメラマンが映像の細部まで確認することができるとともに、フォーカスの合っている領域をマーカ（ピーキング画像）によって確認することができ、８Ｋ映像等の超高精細映像において、精度よくフォーカス調整を行うことができる。
【００６６】
＜フォーカスアシスト装置の動作＞
次に、図１０および図１１を参照（構成については適宜図９参照）して、本発明の第３実施形態に係るフォーカスアシスト装置２Ｃの動作について説明する。また、フォーカスアシスト装置２Ｃの各手段が動作時においてメモリを介して送受する映像については、適宜図１２を参照することとする。
【００６７】
ここで、図１０は、フォーカスアシスト装置２Ｃが８Ｋ映像をビューファインダ３用の映像に変換する動作を示すフローチャートである。また、図１１は、フォーカスアシスト装置２Ｃが、カメラマンの操作によってフォーカス調整用の映像を切り替える状態を設定する動作を示すフローチャートである。この図１０の映像の映像変換動作、図１１の状態設定動作は、それぞれ並行して動作する。
【００６８】
最初に、図１０を参照して、フォーカスアシスト装置２Ｃの映像変換動作について説明する。なお、この動作は、図４で説明したフォーカスアシスト装置２（図３）の動作と基本的な動作は同じであるため、相違点についてのみ説明する。
ステップＳ３の動作後、フォーカスアシスト装置２Ｃは、合焦強調映像生成手段２７によって、ステップＳ３で切り出された映像（２Ｋ映像）から、フォーカスの合った領域を強調した合焦強調映像を生成する（ステップＳ３Ｂ）。
【００６９】
これによって、図１２に示すように、映像入力手段２０によって入力され、メモリ（８Ｋフレームメモリ３１）に一時保存された８Ｋ映像から、映像切出手段２２Ｃが、２Ｋ映像を切り出し、メモリ（２Ｋフレームメモリ３３Ａ）に保存する。また、合焦強調映像生成手段２７が、２Ｋ映像のフォーカス合った領域を強調し、メモリ（２Ｋフレームメモリ３３Ｂ）に保存する。
【００７０】
そして、フォーカスアシスト装置２Ｃは、映像切替出力手段２６Ｃによって、現在のビューファインダ３への表示の状態が切出映像表示状態であるか否かを判定する（ステップＳ４）。なお、現在の状態が切出映像表示状態である場合（ステップＳ４でＹｅｓ）の動作は、図４と同じである。
そして、フォーカスアシスト装置２Ｃは、現在の状態が切出映像表示状態でない場合（ステップＳ４でＮｏ）、さらに、映像切替出力手段２６Ｃによって、現在のビューファインダ３への表示の状態が合焦強調切出映像表示状態であるか否かを判定する（ステップＳ４Ｂ）。
【００７１】
ここで、現在の状態が合焦強調切出映像表示状態である場合（ステップＳ４ＢでＹｅｓ）、フォーカスアシスト装置２Ｃは、映像切替出力手段２６Ｃによって、ステップＳ２でダウンコンバートされた４Ｋ映像に、ステップＳ３Ｂで生成された合掌強調切出映像をオーバーレイ合成する（ステップＳ４Ｃ）。一方、現在の状態が合焦強調切出映像表示状態でない場合（ステップＳ４ＢでＮｏ）、映像切替出力手段２６Ｃは合成を行わない。
【００７２】
これによって、映像切替出力手段２６Ｃは、図１２に示すように、切出映像の表示を行う場合には、４Ｋフレームメモリ３２に保存されている４Ｋ映像（Ｄ／Ｃ映像）に、２Ｋフレームメモリ３３Ａに保存されている２Ｋ映像（切出映像）を合成し、ビューファインダ３に出力するための表示メモリ（表示４Ｋフレームメモリ３４）に保存する。
【００７３】
また、合焦強調切出映像の表示を行う場合には、４Ｋフレームメモリ３２に保存されている４Ｋ映像（Ｄ／Ｃ映像）に、２Ｋフレームメモリ３３Ｂに保存されている２Ｋ映像（合焦強調切出映像）を合成し、表示メモリ（表示４Ｋフレームメモリ３４）に保存する。
また、切出映像や合焦強調切出映像の表示を行わない場合、映像切替出力手段２６Ｃは、４Ｋフレームメモリ３２に保存されている４Ｋ映像（Ｄ／Ｃ映像）を、表示４Ｋフレームメモリ３４に単純コピーする。
【００７４】
次に、図１１を参照して、フォーカスアシスト装置２Ｃの状態設定動作について説明する。なお、この動作は、図５で説明したフォーカスアシスト装置２（図３）の動作と基本的な動作は同じであるため、相違点についてのみ説明する。
【００７５】
表示状態の切り替えを示す操作信号（切替信号）が入力され、現在の状態が切出映像表示状態である場合（ステップＳ１４でＹｅｓ）、フォーカスアシスト装置２Ｃは、映像切替判定手段２５Ｃによって、現在の状態を合焦切出映像表示状態に設定する（ステップＳ１５Ｂ）。
また、現在の状態が合焦強調切出映像表示状態である場合（ステップＳ１４ＢでＹｅｓ）、フォーカスアシスト装置２Ｃは、映像切替判定手段２５Ｃによって、現在の状態をＤ／Ｃ映像表示状態に設定する（ステップＳ１５）。
また、現在の状態がＤ／Ｃ映像表示状態である場合（ステップＳ１４ＢでＮｏ）、フォーカスアシスト装置２Ｃは、映像切替判定手段２５Ｃによって、現在の状態を切出映像表示状態に設定する（ステップＳ１６）。
【００７６】
以上説明したフォーカスアシスト装置２Ｃによれば、フォーカスアシスト装置２の効果に加え、マーカ（ピーキング画像）によって、フォーカス領域をさらに分かりやすく表示することができる。
【００７７】
≪第４実施形態≫
次に、図１３を参照して、本発明の第４実施形態に係るフォーカスアシスト装置２Ｄについて説明する。
先に説明した第３実施形態に係るフォーカスアシスト装置２Ｃ（図９）は、第２実施形態のフォーカスアシスト装置２Ｂ（図７）と同様に、フォーカス調整を行う際に、ビューファインダ３の解像度と同じ解像度の映像をドットバイドット表示することとしてもよい。そこで、フォーカスアシスト装置２Ｃ（図９）を、ビューファインダ３の解像度と同じ解像度の映像をドットバイドット表示するように変更した構成を、第４実施形態に係るフォーカスアシスト装置２Ｄとした。
【００７８】
ここで、第４実施形態に係るフォーカスアシスト装置２Ｄと、第３実施形態に係るフォーカスアシスト装置２Ｃ（図９）との相違点（映像切出手段２２Ｄ、映像切替判定手段２５Ｄ、映像切替出力手段２６Ｄ）のみ説明する。なお、フォーカスアシスト装置２Ｄの合焦強調映像生成手段２７は、入力する映像が４Ｋ映像であるが、フォーカスアシスト装置２Ｃの合焦強調映像生成手段２７とは、対象とする映像の大きさが異なるのみで、処理内容は同じであるため、説明を省略する。
【００７９】
映像切出手段２２Ｄは、映像入力手段２０から入力された映像から、当該映像の１画素をビューファインダ３の１画素に表示可能な、ビューファインダ３と同じ解像度の映像を抽出するものである。
ここでは、映像切出手段２２Ｄは、切出座標計算手段２４から入力される切出座標を中心として、入力された８Ｋ映像から、ビューファインダ３と同じ解像度で同じアスペクト比の４Ｋ映像を切り出す。この映像切出手段２２Ｄは、切り出した映像（４Ｋ映像）を映像切替出力手段２６Ｄと合焦強調映像生成手段２７とに出力する。
【００８０】
映像切替判定手段２５Ｄは、操作信号入力手段２３から入力される切替指示に基づいて、映像切出手段２２Ｄで切り出された映像（４Ｋ映像）を表示させるか否かを判定するものである。なお、映像切替判定手段２５Ｄは、操作信号入力手段２３から切替指示が入力されるたびに、３つの表示状態を遷移するように映像指定を切り替える。
【００８１】
１つ目の表示状態は、ダウンコンバート手段２１でダウンコンバートされた映像（４Ｋ映像：Ｄ／Ｃ映像）を表示する状態である。このとき、映像切替判定手段２５Ｄは、その表示状態を指示する指定（映像指定：Ｄ／Ｃ映像）を映像切替出力手段２６Ｄに出力する。
【００８２】
２つ目の表示状態は、映像切出手段２２Ｄで切り出された切出映像（４Ｋ映像）を表示する状態である。このとき、映像切替判定手段２５Ｄは、その表示状態を指示する指定（映像指定：切出映像）を映像切替出力手段２６Ｄに出力する。
【００８３】
３つ目の表示状態は、映像切出手段２２Ｄで切り出された切出映像（４Ｋ映像）に、その切出映像内で焦点が合っている部分を強調した合焦強調切出映像を表示する状態である。このとき、映像切替判定手段２５Ｄは、その表示状態を指示する指定（映像指定：合焦強調切出映像）を映像切替出力手段２６Ｄに出力する。この表示状態の遷移順序は、この順序に限定されるものではない。
【００８４】
なお、映像切替判定手段２５Ｄは、Ｄ／Ｃ映像を表示させると判定した場合、映像切出手段２２Ｄに映像の切り出しを行わないように指示することとしてもよい。また、映像切替判定手段２５Ｄは、切出映像を表示させると判定した場合、合焦強調映像生成手段２７に合焦強調切出映像の生成を行わないように指示することとしてもよい。
【００８５】
映像切替出力手段２６Ｄは、映像切替判定手段２５Ｄから指示される映像指定によって、ダウンコンバート手段２１で生成されたＤ／Ｃ映像（４Ｋ映像）と、映像切出手段２２Ｄで切り出された切出映像（４Ｋ映像）と、合焦強調映像生成手段２７で生成された合焦強調切出映像（４Ｋ映像）とを切り替えて、ビューファインダ３に出力するものである。
【００８６】
これによって、フォーカスアシスト装置２Ｄは、解像度がカメラヘッド１の解像度よりも低いビューファインダ３であっても、フォーカス調整を行う際に、ドットバイドット表示によって、カメラマンが映像の細部まで確認することができるとともに、フォーカスの合っている領域を確認することができ、８Ｋ映像等の超高精細映像において、精度よくフォーカス調整を行うことができる。
【００８７】
なお、フォーカスアシスト装置２Ｄの動作は、フォーカスアシスト装置２Ｃの動作に対して、切出映像の大きさが４Ｋ映像になり、表示状態が、Ｄ／Ｃ映像（４Ｋ映像）と、切出映像（４Ｋ映像）と、合焦強調切出映像（４Ｋ映像）とをそれぞれ表示する状態に遷移する点が、異なるだけであるため、ここでは詳細な説明は省略する。
【００８８】
≪第５実施形態≫
次に、図１４を参照して、本発明の第５実施形態に係るフォーカスアシスト装置２Ｅについて説明する。
図７で説明したフォーカスアシスト装置２Ｂは、ビューファインダ３に映像をドットバイドット表示するため、映像切出手段２２Ｂにおいて、ビューファインダ３の解像度と同じ解像度の映像（４Ｋ映像）を切り出した。
図１４に示すフォーカスアシスト装置２Ｅは、切出映像を拡大してビューファインダ３に表示する機能を有する点が、フォーカスアシスト装置２Ｂとは異なる。
【００８９】
図１４に示すように、フォーカスアシスト装置２Ｂは、映像入力手段２０と、ダウンコンバート手段２１と、映像切出手段２２Ｅと、操作信号入力手段２３と、切出座標計算手段２４と、映像切替判定手段２５Ｅと、映像切替出力手段２６Ｂと、を備える。
映像切出手段２２Ｅおよび映像切替判定手段２５Ｅ以外の構成については、図７で説明したフォーカスアシスト装置２Ｂと同じ構成であるため、同一の符号を付して説明を省略する。
【００９０】
映像切出手段２２Ｅは、映像入力手段２０から入力された映像から、当該映像の１画素をビューファインダ３の１画素以上に表示可能な映像を抽出するものである。この映像切出手段２２Ｅは、切出座標計算手段２４から入力される切出座標を基準（中心）に、映像切替判定手段２５Ｅから入力される拡大倍率（１倍、２倍、３倍等）で映像を拡大して抽出する。
すなわち、映像切出手段２２Ｅは、入力された８Ｋ映像から、ビューファインダ３の縦横の画素数をそれぞれ拡大倍率で除算した縦横の画素数に対応する映像を、切出座標を中心に切り出し、拡大倍率で拡大する。
これによって、映像切出手段２２Ｅは、入力された８Ｋ映像から、ビューファインダ３の解像度に対して、ドットバイドットまたはそれ以上に拡大した映像を切り出すことができる。
【００９１】
映像切替判定手段２５Ｅは、操作信号入力手段２３から入力される切替指示に基づいて、映像切出手段２２Ｅで切り出された映像（２Ｋ映像）を表示させるか否かを判定するものである。また、映像切替判定手段２５Ｅは、切替指示に基づいて、映像切出手段２２Ｅで切り出される映像の倍率を判定する。なお、映像切替判定手段２５Ｅは、操作信号入力手段２３から切替指示が入力されるたびに、ダウンコンバート手段２１でダウンコンバートされた映像（４Ｋ映像：Ｄ／Ｃ映像）を表示する状態と、映像切出手段２２Ｅで切り出される倍率に応じた映像を表示する複数の状態とを遷移するように映像指定を切り替える。
【００９２】
ここでは、一例として、倍率を１倍、２倍、３倍、４倍とする。この場合、映像切替判定手段２５Ｅは、Ｄ／Ｃ映像を表示する状態と、倍率１倍から４倍の各映像を表示する４つの状態の合計５つの表示状態を切り替える。例えば、映像切替判定手段２５Ｅは、押し込み／タップによる切替指示が入力されるたびに、図１５に示すように、状態を遷移させる。
【００９３】
なお、映像切替判定手段２５Ｅは、Ｄ／Ｃ映像を表示対象とする場合、Ｄ／Ｃ映像を指示する指定（映像指定：Ｄ／Ｃ映像）を映像切替出力手段２６Ｂに出力する。また、拡大映像（１倍〜４倍）を表示対象とする場合、切出映像を指示する指定（映像指定：切出映像）を映像切替出力手段２６Ｂに出力する。
また、映像切替判定手段２５Ｅは、拡大映像（１倍〜４倍）を表示対象とする場合、その拡大倍率を、映像切出手段２２Ｅに出力する。
【００９４】
なお、ポインティングデバイス４で拡大を指定する場合、タッチパッドへの押し込み／タップ操作の代わりに、図１６（ａ）に示すピンチアウト操作、図１６（ｂ）に示すピンチイン操作を用いてもよい。
その場合、映像切替判定手段２５Ｅは、ピンチアウト操作（図１６（ａ））およびピンチイン操作（図１６（ｂ））による切替指示が入力されるたびに、図１７に示すように、状態を遷移させればよい。
【００９５】
このフォーカスアシスト装置２Ｅの動作は、フォーカスアシスト装置２Ｂの動作に対して、切出映像の大きさが拡大映像になり、表示状態が、Ｄ／Ｃ映像（４Ｋ映像）と、倍率に応じた拡大映像（４Ｋ映像）とをそれぞれ表示する状態に遷移する点が、異なるだけであるため、ここでは詳細な説明は省略する。
【００９６】
ここで、フォーカスアシスト装置２Ｅの各手段が動作時においてメモリを介して送受する映像について、図１８を参照（適宜図１４参照）して簡単に説明しておく。ここでは、説明を簡略化するため、拡大倍率を１倍と２倍の２つにしている。
図１８に示すように、映像入力手段２０によって入力され、メモリ（８Ｋフレームメモリ３１）に一時保存された８Ｋ映像を、ダウンコンバート手段２１が、４Ｋ映像に縮小し、メモリ（４Ｋフレームメモリ３２）に保存する。
【００９７】
そして、メモリ（８Ｋフレームメモリ３１）に一時保存された８Ｋ映像から、映像切出手段２２Ｅが、拡大倍率に応じた領域の映像を切り出して、拡大倍率に応じて拡大し、４Ｋ映像として、メモリ（４Ｋフレームメモリ３３Ａ）に保存する。
そして、ダウンコンバートした映像（Ｄ／Ｃ映像）の表示を行う場合、映像切替出力手段２６Ｂが、４Ｋフレームメモリ３２に保存されている４Ｋ映像（Ｄ／Ｃ映像）を、表示４Ｋフレームメモリ３４に単純コピーする。また、切出映像（拡大映像）の表示を行う場合、映像切替出力手段２６Ｂが、４Ｋフレームメモリ３３Ａに保存されている４Ｋ映像（拡大４Ｋ映像）を、表示４Ｋフレームメモリ３４に単純コピーする。
【００９８】
これによって、フォーカスアシスト装置２Ｅは、解像度がカメラヘッド１の解像度よりも低いビューファインダ３であっても、フォーカス調整を行う際に、ドットバイドット表示あるいはそれをさらに拡大することで、カメラマンが映像の細部まで確認することができるとともに、８Ｋ映像等の超高精細映像において、精度よくフォーカス調整を行うことができる。
【００９９】
以上、本発明の第１実施形態から第５実施形態に係るフォーカスアシスト装置２（２Ｂ，２Ｃ，２Ｄ，２Ｅ）について説明したが、これらは、コンピュータを前記した各手段として機能させるプログラム（フォーカスアシストプログラム）で動作させることができる。また、このフォーカスアシストプログラムは、記録媒体に記録して配布したり、通信回線を介して配布したりすることも可能である。
【符号の説明】
【０１００】
Ｃ      撮影装置
１      カメラヘッド
２      フォーカスアシスト装置
２０    映像入力手段
２１    ダウンコンバート手段
２２    映像切出手段
２３    操作信号入力手段
２４    切出座標計算手段
２５    映像切替判定手段
２６    映像切替出力手段
２７    合焦強調映像生成手段
３      ビューファインダ
４      ポインティングデバイス
【図１】
2016100883.tif 000003
【図２】
2016100883.tif 000004
【図３】
2016100883.tif 000005
【図４】
2016100883.tif 000006
【図５】
2016100883.tif 000007
【図６】
2016100883.tif 000008
【図７】
2016100883.tif 000009
【図８】
2016100883.tif 000010
【図９】
2016100883.tif 000011
【図１０】
2016100883.tif 000012
【図１１】
2016100883.tif 000013
【図１２】
2016100883.tif 000014
【図１３】
2016100883.tif 000015
【図１４】
2016100883.tif 000016
【図１５】
2016100883.tif 000017
【図１６】
2016100883.tif 000018
【図１７】
2016100883.tif 000019
【図１８】
2016100883.tif 000020